(57)【要約】【課題】  ブラジャーをオーダーメイドする為に着用した際の着用感を確認することが出来る計測機能を備えたブラジャーであって、複数の部位の組合せで構成し、あらゆる体形の計測を可能とし、実際と同じ着用感を得ることが出来る計測機能を備えたブラジャーの提供。【解決手段】  ブラジャーはカップ受部６の両側にカップ部７，７を有すフロント部１と該フロント部１の両側にはファスナーを介して連結すると共に伸縮可能な生地から成るバック部２，２、そして一方のバック部２の先端にはファスナーを介してフック部４を連結すると共に他方のバック部２の先端にはファスナーを介してアイ部５を連結して設け、上記両バック部先端には複数のファスナー片１０ａ，１０ｂ，１０ｃを一定間隔をおいて縫着し、上記フック部４及びアイ部５に設けたファスナー片１１をバック部先端の適当なファスナー片１０ａ，１０ｂ，１０ｃと連結可能とし、そしてカップ部の底部から側部にかけて設けたサポート部８の上端とバック部２とを伸縮可能な肩ストラップ３にて連結している。【選択図】    図３
2005325466.tif 000002
【特許請求の範囲】
【請求項１】
ブラジャーをオーダーメイドする為に着用した際の着用感を確認することが出来る計測機能を備えたブラジャーにおいて、該ブラジャーはカップ受部の両側にカップ部を有すフロント部と該フロント部の両側にはファスナーを介して連結すると共に伸縮可能な生地から成るバック部、そして一方のバック部の先端にはファスナーを介してフック部を連結すると共に他方のバック部先端にはファスナーを介してアイ部を連結して設け、上記両バック部先端には複数のファスナー片を一定間隔をおいて縫着し、上記フック部及びアイ部に設けたファスナー片をバック部先端の適当なファスナー片と連結可能とし、そしてカップ部の底部から側部にかけて設けたサポート部上端とバック部とを伸縮可能な肩ストラップにて連結したことを特徴とする計測機能を備えたブラジャー。
【請求項２】
ブラジャーをオーダーメイドする為に着用した際の着用感を確認する体形の計測方法において、計測用ブラジャーはカップ受部の両側にカップ部を有すフロント部と該フロント部の両側にはファスナーを介して連結すると共に伸縮可能な生地から成るバック部、そして一方のバック部の先端にはファスナーを介してフック部を連結すると共に他方のバック部先端にはファスナーを介してアイ部を連結して設け、上記両バック部先端には複数のファスナー片を一定間隔をおいて縫着し、上記フック部及びアイ部に設けたファスナー片をバック部先端の適当なファスナー片と連結可能とし、そしてカップ部の底部から側部にかけて設けたサポート部上端とバック部とを伸縮可能な肩ストラップにて連結したもので、上記フロント部、両バック部を選択して組合わせ、又バック部先端に縫着した複数のファスナー片を選択してフック部及びアイ部を連結することでブラジャーの着用感を確認可能としたことを特徴とする体形の計測方法。
【発明の詳細な説明】
【技術分野】
【０００１】
本発明は身体に完全フィットする着用感が得られるブラジャーをオーダーメイドする為の計測方法、及び計測に際して用いるブラジャーに関するものである。
【背景技術】
【０００２】
ブラジャーはバストを理想的な形状に整え、垂下がりを防止する為に着用され、今日では多種多様化したブラジャーが市販されている。女性はこれらのブラジャーの中から自分の身体にフィットするものを選択して購入しているが、完全にフィットするブラジャーを見つけ出すことは容易でない。バストの大きさ、形、胸囲のサイズなど、個々の人にとって夫々異なっている為に、何れかを基準に合わせることで、他の箇所が合わないことになる。
【０００３】
身体にフィットしないブラジャーを着用するならば、ブラジャーとしての目的を達成することが出来ず、適度なフィット感が得られずして不快感が残ってしまう。特に、サイズの小さなブラジャーを着用するならば、圧迫による苦痛を感じ、血流が悪くなり、身体にも悪影響を及ぼす。
【０００４】
ブラジャーにおけるカップ部のフィット感は、バスト下縁の半円状の輪郭線(バージスライン)の曲率(バージスサイズ)とカップ高さによって異なるもので、このバージスサイズとカップ高さとの組合せは各個人により様々である。従って、両者の組合せを種々に変えたブラジャーが用意されていない為に、市販されているブラジャーにて完全なフィット感は得られないのが実状である。
【０００５】
又、バック部の寸法は、トップバスト及びアンダーバストのフィット性に左右される為に、体の個々の寸法にフィットするブラジャーを前以て準備することは不可能であり、夫々の人に合わせてオーダーメイドすることが必要となる。特開２００２−２１２８２３号に係る「カップ部を有する衣類のオーダーメイド用計測サンプル及びオーダーメイド方式」は、従来技術の１つである。
【０００６】
この「カップ部を有する衣類のオーダーメイド用計測サンプル及びオーダーメイド方式」とは、バージスサイズを変えた複数のカップ受部と、１つのバージスサイズにおいてカップ高さを変えた複数のカップ部とを有し、カップ受部に対してカップ部を着脱可能に設けてオーダーメイド用計測サンプルとする。さらに１つのカップ受部において寸法の異なる複数のバック部を付加し、カップ受部に対してカップ部及びバック部を着脱可能に設けたオーダーメイド用計測サンプルとし、このオーダーメイド用計測サンプルを用いて顧客のカスタムサイズを計測することによりカップ部を有す衣類を製造することが出来る。
【０００７】
ところで、オーダーメイド計測サンプルでは、カップ受部に対してカップ部を着脱可能に設けた構造と成っているが、この接続部分に僅かなズレが発生してもカップの容量が変化してしまう。上記オーダーメイド計測サンプルでは、接続部分に面ファスナー(粘着テープ)が使用されているが、該面ファスナーでは取付けたカップ部の位置ズレ及び伸びが発生してカップ容量が変化してしまう。
【０００８】
又、バック部の寸法調節にも問題がある。すなわち、カップ受部の連結部と連結する為にカギホックのフックが設けられ、そして左右のバック部の後端部には互いに係止して連結することが出来るようにカギホックのフック及び複数列のアイが縫着されている。バック部には少なくとも長手方向へ伸縮性を有す織布が用いられている。
【０００９】
しかし、複数列のアイが設けられている片方のバック部位では伸縮性はなく、その為に該バック部にて計測された長さに基づいて製作した実際のブラジャーは完全にフィットせず、該計測サンプルでは実際のブラジャーと同じ着用感が得られない。すなわち、一方のバック部先端に設けているフックが係止する為の他方のバック部先端に設けているアイの位置が最先端となる場合には、伸縮しないバック部位が存在することに成り、その長さを基にオーダーメイドしたブラジャーバック部には伸縮性の無い部位は存在しないことから着用感には違いが発生する。
【特許文献１】特開２００２−２１２８２３号に係る「カップ部を有する衣類のオーダーメイド用計測サンプル及びオーダーメイド方式」
【発明の開示】
【発明が解決しようとする課題】
【００１０】
このように、従来の計測サンプルには上記のごとき問題がある。本発明が解決しようとする課題はこれら問題点であり、体形に完全フィットすることが出来て、実際の着用感を得ることが出来る計測機能を備えたブラジャーを提供する。又、該ブラジャーを用いての体形の計測方法を提供する。
【課題を解決するための手段】
【００１１】
本発明に係る計測機能を備えたブラジャーは、ブラジャーフロント部と左右のバック部、及びフック部とアイ部から構成し、これらの部位は互いに連結してブラジャーとして組合わすことが出来るように構成している。フロント部はカップ部とカップ受部とが一体化した形態とし、両側にはファスナーが設けられてバック部が連結される。
【００１２】
一方側バック部の先端部には複数のファスナー片が配列して縫着され、該ファスナー片にはカギホックのフックを備えたフック部がファスナー片を介して連結される。そして他方側バック部の先端部には複数のファスナー片が配列して縫着され、該ファスナー片にはカギホックのアイを備えたアイ部がファスナー片を介して連結される。従って、両バック部はフックにアイが係止して連結されるが、バック部先端部に設けている複数のファスナー片の位置が選択される。
【発明の効果】
【００１３】
本発明に係る計測機能を備えたブラジャーは、ブラジャーフロント部と左右のバック部、及びフック部とアイ部の組合せで構成している為に、体形に合って実際の着用感と同じブラジャーを作り上げることが出来る。そしてブラジャーフロント部はカップ部とカップ受部とが一体化されている為に、カップ受部に対するカップ部の位置ズレはなく、適度なサイズのフロント部を選択することでバストを包み込む着用感は実際のブラジャーと同じになる。
【００１４】
また、バック部先端には複数のファスナー片が配列して取付けられるが、個々のファスナー片は伸縮可能なバック部に独立して縫着される為に、フック部とアイ部が何れのファスナー片に連結してもバック部の伸縮性が損なわれて着用感が実際のブラジャーと異なることはない。すなわち、バック部には伸縮しない部位は存在しない。
【実施例】
【００１５】
図１、図２は本発明に係る計測機能を備えたブラジャーを着用した場合であり、図１は正面からの状態図、図２は背面からの状態図を各々示している。ブラジャーとしての基本的な形態は従来のものと同じであり、フロント部の両側にはバック部が延びて先端は互いに連結し、フロント部とバック部とは肩ストラップ３，３にて連結している。
【００１６】
本発明は該ブラジャーを着用するに当って、体にフィットするようにフロント部１と両バック部２，２を適当に組合わせて着用感を確かめることが出来る。勿論、圧迫感や痛みがないように組合され、これを基にして専用ブラジャーをオーダーメイドすることが出来る。
【００１７】
図３はブラジャーを分離して、フロント部１、バック部２，２、肩ストラップ３，３、フック部４、アイ部５を示している。上記フロント部１はカップ受部６に両カップ部７，７が設けられ、カップ部７，７の下側から外側にかけてサポート部８，８を設けて表面に縫い合わせている。サポート部８，８はカップ部７，７に収容されるバストを支えると共に内側へ寄せることが出来る。
【００１８】
ところで、フロント部１はバージスサイズを変えたカップ受部と、特定のバージスサイズにおいてカップ高さを変えたカップ部との組合わせで構成され、数多くのサイズで構成されるフロント部１を準備している。そしてフロント部１の両側にはファスナー片９ａが縫着され、該ファスナー片９ａにはバック部２に設けているファスナー片９ｂが連結する。
【００１９】
バック部２の先端部には３本のファスナー片１０ａ，１０ｂ，１０ｃが一定間隔をおいて縫着され、該ファスナー片１０ａ，１０ｂ，１０ｃの何れかにはフック部４に設けているファスナー片１１が連結され、同じく他方のバック部２の先端に縫着しているファスナー片１０ａ，１０ｂ，１０ｃにはアイ部５に設けているファスナー片１１が連結する。
【００２０】
従って、フロント部１には上記ファスナー片を介してバック部２，２が連結され、一方のバック部先端にはフック部４が繋がれ、他方のバック部先端にはアイ部５が繋がれる。アイ部５には複数のアイ１２，１２・・が配列して取付けられ、フック部４の裏面にはフック(図示なし)が取付けられて、アイ１２，１２・・にフックが係止することで両バック部２，２は互いに連結する。
【００２１】
ところで、バック部２はその長さ寸法及び幅寸法が色々準備され、そして伸縮可能な生地から成っている。バック部先端には３本のファスナー片１０ａ、１０ｂ、１０ｃが縫着されている為に、フック部４に設けているファスナー片１１はファスナー片１０ａ，１０ｂ，１０ｃの何れかに連結する。同じく、アイ部５に設けているファスナー片１１もバック部先端のファスナー片１０ａ，１０ｂ，１０ｃの何れかと連結する。
【００２２】
両バック部２，２にフック部４とアイ部５を適当なファスナー片１０ａ，１０ｂ，１０ｃを介して連結することで、その時の着用感を確かめることが出来る。バック部２先端に設けている３本のファスナー片１０ａ，１０ｂ，１０ｃの内、圧迫感が強い場合には最先端のファスナー片１０ａ，１０ａにフック部４とアイ部５を連結する。逆に圧迫感が弱過ぎる場合には、内側のファスナー１０ｃ，１０ｃにフック部４とアイ部５を連結することが出来る。
【００２３】
ところで、バック部２に縫着されるファスナー１０ａ，１０ｂ，１０ｃは夫々が独立した状態で縫着されている為に、バック部２の伸縮度は妨げられない。すなわち、ファスナー片１０ａ，１０ｂ，１０ｃ間も伸縮することが出来る為に、バック部２の伸縮度は連結される先端のファスナー片１０ａ，１０ｂ，１０ｃとフロント部１側のファスナー片９ｂ間の長さに応じて変化する。伸縮性の無い生地に３本のファスナー片１０ａ，１０ｂ，１０ｃが縫着されているのではなく、バック部２の全体が伸縮可能と成っている。
【００２４】
又、バック部先端に連結されるフック部４及びアイ部５の縦寸法の大小２種類が準備され、背中に当たる着用感を確かめることが出来る。一方、肩ストラップ３はサポート部８の上端にフック１３を介して連結され、背中側ではバック部２とフック１３を介して連結する。肩ストラップ３の長さは調整することが出来、着用感が損なわれることはない。
【図面の簡単な説明】
【００２５】
【図１】本発明に係るブラジャーを着用した正面図。
【図２】本発明に係るブラジャーを着用した背面図。
【図３】本発明に係るブラジャーの分解図。
【符号の説明】
【００２６】
１  フロント部
２  バック部
３  肩ストラップ
４  フック部
５  アイ部
６  カップ受部
７  カップ部
８  サポート部
９  ファスナー片
10  ファスナー片
11  ファスナー片
12  アイ
13  フック
【図１】
2005325466.tif 000003
【図２】
2005325466.tif 000004
【図３】
2005325466.tif 000005